(57)【要約】      （修正有）【課題】ゴルフボールを打撃する時に、打撃音を発生すると同時に振動吸収効果を発揮するアイアンクラブヘッドを提供する。【解決手段】内部空隙部の下側に収容部１１が形成され、収容部１１の周縁に、封止部材１６により封止される材料注入孔１４が形成される中空のベース１０と、収容部１１に注入される振動吸収材１５と、振動吸収材１５の前方に設けられる密閉カバー１２と、密閉カバー１２の前方に間隙１８を介して固設されるフェース面板１７とを有することを特徴とする。【選択図】図１
0003109787.tif 000002
【実用新案登録請求の範囲】
【請求項１】
前面側に開口する空隙部の下側に収容部１１が形成され、該収容部１１の周縁に、封止部材１６により封止される材料注入孔１４が形成された中空のベース１０と、
前記収容部１１の前方に設けられた密閉カバー１２と、
前記ベース１０における、密閉カバー１２の前方に間隙１８を介して固設されるフェース面板１７と、
前記収容部１１に注入される振動吸収材１５と、
からなることを特徴とするアイアンクラブヘッド。
【請求項２】
前記収容部１１の下部に通気孔１３が形成されることを特徴とする請求項１に記載のアイアンクラブヘッド。
【請求項３】
前記密閉カバー１２は、半田付けにより収容部１１の開口と結合されると共に、前記封止部材１６には通気孔１９が形成されることを特徴とする請求項１に記載のアイアンクラブヘッド。
【考案の詳細な説明】
【技術分野】
【０００１】
本考案は、特に、ゴルフボールを打撃する時に、打撃音を発生させると共に振動吸収効果を提供するアイアンクラブヘッドに関するものである。
【背景技術】
【０００２】
図３及び図４に示すように、従来の振動吸収効果を有するアイアンクラブヘッドは、内部に空隙部２１が形成され、上部に貫通孔２２が形成される中空のベース２０と、該貫通孔２２から空隙部２１に注入される振動吸収材２３と、該振動吸収材２３の前方に半田付けされるフェース面板２４とから構成されるものである。
【０００３】
また、図５及び図６に示すように、他の振動吸収効果を有するアイアンクラブヘッドは、内部下側に空隙部３２が形成されたベース３０と、成形後に該空隙部３２に嵌め込まれる振動吸収材３１と、該振動吸収材３１の前方に圧着されるフェース面板３３とから構成されるものが提供されている。
【考案の開示】
【考案が解決しようとする課題】
【０００４】
しかしながら、前述した前者のアイアンクラブヘッドは、振動吸収材２３と、フェース面板２４及び空隙部２１との間が密着状態であり、打撃時に発生する打撃音が直接に振動吸収材２３に吸収されてしまうので、打撃音を聞き取ることはできない。
【０００５】
一方、後者のアイアンクラブヘッドは、空隙部３２内に組み合わされる振動吸収材３１を金型により製造するので、製造コストが増加してしまい、また、フェース面板３３は、強圧により空隙部３２内に結合されるが、このような構成では、強圧が施された後、振動吸収材３１の振動吸収効果が低減してしまうと共に、前記振動吸収材３１は、空隙部３２内の金属面に完全に接着されないので、打撃音を発生させることができない。
【課題を解決するための手段】
【０００６】
本考案は、前面側に開口する空隙部の下側に収容部１１が形成され、該収容部１１の周縁に、封止部材１６により封止される材料注入孔１４が形成される中空のベース１０と、前記収容部１１の前方に設けられる密閉カバー１２と、前記ベース１０における、密閉カバー１２の前方に間隙１８を介して固設されるフェース面板１７と、前記収容部１１に注入される振動吸収材１５を有することを特徴とするアイアンクラブヘッドを提供する。
【考案の効果】
【０００７】
本考案は上記の課題を解決するものであり、前面側に開口する空隙部の下側に収容部が形成され、該収容部の下部に収容部と連通する通気孔が形成されると共に、該収容部の周縁に、封止部材により封止される材料注入孔が形成される中空のベースと、前記収容部の前方に設けられる密閉カバーと、前記ベースにおける、密閉カバーの前方に間隙を介して固設されるフェース面板と、前記収容部に注入される振動吸収材とを有し、この構成では、前記収容部内に適量の振動吸収材を注入し、適当な温度で発泡させた後、振動吸収材は収容部内に充満し、且つ収容部内の金属面にしっかりと接着されるので、打撃時に打撃音が発生すると共に、適当な振動吸収効果をも得ることができる。
【考案を実施するための最良の形態】
【０００８】
以下、添付図面を参照して本考案の好適な実施の形態を詳細に説明する。
【実施例】
【０００９】
図１は、本考案に係るアイアンクラブヘッドの実施例を示す分解斜視図であり、図２は、図１における本考案に係るアイアンクラブヘッドの側面断面図である。
【００１０】
図１及び図２に示すように、本考案のアイアンクラブヘッドは、中空のベース１０を有し、該ベース１０の前面側に開口する空隙部の下側にベース１０の前端から後端にかけて収容部１１が区画して形成され、該収容部１１の前方に密閉カバー１２が半田付けされると共に、該ベース１０における密閉カバー１２の前方開口部に配設されるフェース面板１７が半田付け或いは圧着され、更に、該フェース面板１７と密閉カバー１２との間に適当な間隙１８が設けられ、前記ベース１０の下部に収容部１１と連通する通気孔１３が形成される。
【００１１】
また、前記ベース１０の周縁に収容部１１と連通し、適量の振動吸収材１５を収容部１１内に注入するための材料注入孔１４が形成され、該材料注入孔１４から振動吸収材１５を注入すると、収容部１１内の気体が通気孔１３から排出され、注入が完了した時に通気孔１９が形成された封止部材１６により材料注入孔１４を封止する。その後、適当な温度で発泡すると、振動吸収材１５が収容部１１内の金属面に完全に接着される。
【００１２】
図２に示すように、前記の構成により製造されたアイアンクラブヘッド使用すると、ボールを打撃する時、即ち、フェース面板１７とベースとが接触する時、該フェース面板と密閉カバー１２との間に間隙１８が設けられるので、打撃時に打撃音が発生し、更に打撃後に振動が発生するが、その振動の一部はフェース面板１７からベース１０に伝わる途中で振動吸収材１５により吸収されるので、打撃後の振動を適当な程度まで弱めることができる。
【００１３】
上述したように、本考案のアイアンクラブヘッドは、前記の構成を有するので、ボールを打撃する時に打撃音を発生させ、更に打撃後に発生する振動を適当に吸収できるので、使用者は、最適な状態でボールを打撃することができる。
【００１４】
尚、上述した実施形態は単に本考案の一部の形態であり、本明細書に示す実用新案登録の範囲内であれば如何なる形態に構成させてもよく、また、容易に想到し得る範囲内であれば、当然本考案の請求の範囲に属することは言うまでもない。
【図面の簡単な説明】
【００１５】
【図１】本考案に係るアイアンクラブヘッドの実施例の分解斜視図である。
【図２】図１の本考案に係るアイアンクラブヘッドの側面断面図である。
【図３】従来のアイアンクラブヘッドの分解斜視図である。
【図４】図３のアイアンクラブヘッドの側面断面図である。
【図５】他の従来のアイアンクラブヘッドの分解斜視図である。
【図６】他の従来のアイアンクラブヘッドの側面断面図である。
【符号の説明】
【００１６】
１０        ベース
１１        収容部
１２        密閉カバー
１３        通気孔
１４        材料注入孔
１５        振動吸収材
１６        封止部材
１７        フェース面板
１８        間隙
２０        ベース
２１        空隙部
２２        貫通孔
２３        振動吸収材
２４        フェース面板
３０        ベース
３１        振動吸収材
３２        空隙部
３３        フェース面板
【図１】
0003109787.tif 000003
【図２】
0003109787.tif 000004
【図３】
0003109787.tif 000005
【図４】
0003109787.tif 000006
【図５】
0003109787.tif 000007
【図６】
0003109787.tif 000008